(57)【要約】【課題】複数の仕様のディスクドライブを複数の仕様で取り付ける場合に、保持部品の一部を共有化し、製造方法の一部を共通化する。これにより、総合的な部品点数の増加を抑え、総合的なコストの上昇を抑えるとともに、総合的な作業性を向上させる。【解決手段】情報処理装置１を、光ディスクドライブ１０又は天板有りの光ディスクドライブ２０を、上方から落とし込んで又は側面から挿入して製造する場合に、保持部品１００〜８００の一部を共有化とする。これにより、総合的に見て部品点数を削減でき、コスト削減を図ることができる。【選択図】図１３
2010020568.tif 000002
【特許請求の範囲】
【請求項１】
筐体と、
前記筐体に設けられた収容部と、
前記収容部に収容され、ディスク状の記録媒体を装着し再生することが可能な第１の仕様のディスクドライブ部または第２の仕様のディスクドライブ部と、
前記収容部に前記第１の仕様のディスクドライブ部または前記第２の仕様のディスクドライブ部を保持させるために、前記第１の仕様のディスクドライブ部と前記第２の仕様のディスクドライブ部との間で共通に用いられる第１の保持部品と、
前記収容部に収容させる前記ディスクドライブ部の仕様に対応して用いられ、前記第１の保持部品と協働して、前記収容部に前記ディスクドライブ部を保持させる第２の保持部品と
を具備する情報処理装置。
【請求項２】
請求項１に記載の情報処理装置であって、
前記第１の仕様のディスクドライブ部は、天板を備えるディスクドライブ部であり、
前記第２の仕様のディスクドライブ部は、天板を備えないディスクドライブ部である
情報処理装置。
【請求項３】
請求項１に記載の情報処理装置であって、
前記第１の仕様のディスクドライブ部は、前記装着されるディスク状の記録媒体の記録面に沿う方向から前記収容部に収容されるディスクドライブ部であり、
前記第２の仕様のディスクドライブ部は、前記装着されるディスク状の記録媒体の記録面に沿う方向以外の方向から前記収容部に収容されるディスクドライブ部である
情報処理装置。
【請求項４】
収容部が設けられた情報処理装置の筐体を準備し、
ディスク状の記録媒体を駆動し再生することが可能な第１の仕様のディスクドライブ部または第２の仕様のディスクドライブ部を準備し、
前記第１の仕様のディスクドライブ部と前記第２の仕様のディスクドライブ部との間で共通の第１の保持部品と、前記収容部に収容させる前記ディスクドライブ部の仕様に対応する第２の保持部品とを用いて、前記収容部に前記ディスクドライブ部を収容させ保持させる
情報処理装置の製造方法。
【請求項５】
請求項４に記載の情報処理装置の製造方法であって、
前記第１の仕様のディスクドライブ部は、天板を備えるディスクドライブ部であり、
前記第２の仕様のディスクドライブ部は、天板を備えないディスクドライブ部である
情報処理装置の製造方法。
【請求項６】
請求項４または請求項５に記載の情報処理装置の製造方法であって、
前記第１の仕様のディスクドライブ部または前記第２の仕様のディスクドライブ部は、前記装着されるディスク状の記録媒体の記録面に沿う方向から前記収容部に収容される
情報処理装置の製造方法。
【請求項７】
請求項４または請求項５に記載の情報処理装置の製造方法であって、
前記第１の仕様のディスクドライブ部または前記第２の仕様のディスクドライブ部は、前記装着されるディスク状の記録媒体の記録面に沿う方向以外の方向から前記収容部に収容される
情報処理装置の製造方法。
【請求項８】
請求項４に記載の情報処理装置の製造方法であって、
第1の保持部品を、前記収容部の一端側に固定し、
前記第１の仕様のディスクドライブ部または前記第２の仕様のディスクドライブ部の第１の端部を前記第１の保持部品に係合させ、
前記第１の仕様のディスクドライブ部または前記第２の仕様のディスクドライブ部の前記第１の端部の反対側に位置する第２の端部を、第２の保持部品を使用して、前記筐体に固定する
情報処理装置の製造方法。
【請求項９】
請求項８に記載の情報処理装置の製造方法であって、
前記第２の保持部品を、前記収容部の前記一端側と対向する一端側に固定し、
前記第１の仕様のディスクドライブ部または前記第２の仕様のディスクドライブ部の第１の端部を前記第１の保持部品に係合させるとともに、前記第２の端部を前記第２の保持部品に係合させる
情報処理装置の製造方法。
【請求項１０】
請求項８に記載の情報処理装置の製造方法であって、
前記前記第１の仕様のディスクドライブ部または前記第２の仕様のディスクドライブ部の第２の端部に、前記第２の保持部品を固定し、
前記第２の保持部品を、前記筐体に固定する
情報処理装置の製造方法。
【発明の詳細な説明】
【技術分野】
【０００１】
本発明は、複数の仕様に対応したノート型のパーソナルコンピュータなどの情報処理装置及び情報処理装置の製造方法に関する。
【背景技術】
【０００２】
一般的に、ノート型のパーソナルコンピュータ（以下、単にＰＣと呼ぶ。）にディスクドライブ等の部品を取り付ける場合、保持部品等の周辺部品を使用して、ディスクドライブが筐体に取り付けられる（例えば、特許文献１参照。）。特許文献１では、ディスクドライブの上にクッションとディスクドライブホルダとが順に重ねられ、これらに形成された開口を介して螺子止めが行われる。これにより、ディスクドライブとクッションとディスクドライブホルダとがＰＣのケース部材に取り付けられる。
【０００３】
【特許文献１】特開１１−０８６５１９号公報（段落［００１９］〜［００２０］、図５）
【発明の開示】
【発明が解決しようとする課題】
【０００４】
特許文献１に記載された技術では、ディスクドライブを収容するＰＣ側の収容部の構造は、上記の構造に制約される。従って、所定の仕様（タイプ）のＰＣとこの仕様とは異なる仕様のＰＣとで共通のディスクドライブ又は類似のディスクドライブを採用する場合には、各仕様のＰＣの収容部は共通の構造にする必要がある。しかし、ＰＣには、軽量化が望まれる仕様のものや堅牢性が望まれる仕様ものなど様々なものがあり、収容部の共通化には問題がある。そのため、例えば異なる構造の収容部に共通のディスクドライブ又は類似のディスクドライブを取り付けられるように、それぞれの仕様に対応した周辺部品を用いて各収容部にディスクドライブを取り付けることが考えられる。しかしながら、このような場合には、これらの仕様に応じた周辺部品が必要となるとともに、周辺部品に応じて製造方法も変わってくる。その結果、総合的な部品点数が増加し、コストが上昇するとともに、作業性が煩雑になる。
【０００５】
以上のような事情に鑑み、本発明の目的は、複数の仕様のディスクドライブを複数の仕様の情報処理装置にそれぞれ取り付ける場合でも、総合的な部品点数の増加及びコストの上昇を抑え、作業性を向上させることが可能な情報処理装置及び情報処理装置の製造方法を提供することにある。
【課題を解決するための手段】
【０００６】
上記目的を達成するため、本発明に係る情報処理装置は、筐体と、収容部と、第１の仕様のディスクドライブ部または第２の仕様のディスクドライブ部と、第１の保持部品と、第２の保持部品とを具備する。収容部は、前記筐体に設けられる。第１の仕様のディスクドライブ部または第２の仕様のディスクドライブ部は、前記収容部に収容され、ディスク状の記録媒体を装着し再生することが可能である。第１の保持部品は、前記収容部に前記第１の仕様のディスクドライブ部または前記第２の仕様のディスクドライブ部を保持させるために、前記第１の仕様のディスクドライブ部と前記第２の仕様のディスクドライブ部との間で共通に用いられる。第２の保持部品は、前記収容部に収容させる前記ディスクドライブ部の仕様に対応して用いられ、前記第１の保持部品と協働して、前記収容部に前記ディスクドライブ部を保持させる。
【０００７】
本発明によれば、第１の保持部品は、第１の仕様のディスクドライブ部と第２の仕様のディスクドライブ部との間で共通に用いられる。すなわち、複数の仕様のディスクドライブ部を情報処理装置の収容部に取り付ける場合に、保持部品の一部の共有化が図られている。これにより、総合的な部品点数の増加を抑えるとともに、総合的なコストの上昇を抑えることが可能となる。
【０００８】
本発明において、前記第１の仕様のディスクドライブ部は、天板を備えるディスクドライブ部である。前記第２の仕様のディスクドライブ部は、天板を備えないディスクドライブ部である。
【０００９】
本発明によれば、第１の仕様のディスクドライブ部と第２の仕様のディスクドライブ部との形状が異なる場合であっても、保持部品の一部を共有化することが可能となる。これにより、総合的な部品点数の増加を抑えるとともに、総合的なコストの上昇を抑えることが可能となる。
【００１０】
本発明において、前記第１の仕様のディスクドライブ部は、前記装着されるディスク状の記録媒体の記録面に沿う方向から前記収容部に収容されるディスクドライブ部である。前記第２の仕様のディスクドライブ部は、前記装着されるディスク状の記録媒体の記録面に沿う方向以外の方向から前記収容部に収容されるディスクドライブ部である。
【００１１】
本発明によれば、第１の仕様のディスクドライブ部と第２の仕様のディスクドライブ部との取り付け方法が異なる場合であっても、保持部品の一部を共有化することが可能となる。これにより、総合的な部品点数の増加を抑えるとともに、総合的なコストの上昇を抑えることが可能となる。
【００１２】
本発明に係る情報処理装置の製造方法は、収容部が設けられた情報処理装置の筐体を準備し、ディスク状の記録媒体を駆動し再生することが可能な第１の仕様のディスクドライブ部または第２の仕様のディスクドライブ部を準備し、前記第１の仕様のディスクドライブ部と前記第２の仕様のディスクドライブ部との間で共通の第１の保持部品と、前記収容部に収容させる前記ディスクドライブ部の仕様に対応する第２の保持部品とを用いて、前記収容部に前記ディスクドライブ部を収容させ保持させる。
【００１３】
本発明によれば、第１の保持部品は、第１の仕様のディスクドライブ部と第２の仕様のディスクドライブ部との間で共通に用いられる。すなわち、複数の仕様のディスクドライブ部を情報処理装置の収容部に取り付ける場合に、保持部品の一部の共有化が図られている。これにより、総合的な部品点数の増加を抑えるとともに、総合的なコストの上昇を抑えることが可能となる。
【００１４】
本発明において、前記第１の仕様のディスクドライブ部は、天板を備えるディスクドライブ部である。前記第２の仕様のディスクドライブ部は、天板を備えないディスクドライブ部である。
【００１５】
本発明によれば、第１の仕様のディスクドライブ部と第２の仕様のディスクドライブ部との形状が異なる場合であっても、保持部品の一部を共有化することが可能となる。これにより、総合的な部品点数の増加を抑えるとともに、総合的なコストの上昇を抑えることが可能となる。
【００１６】
本発明において、前記第１の仕様のディスクドライブ部または前記第２の仕様のディスクドライブ部は、前記装着されるディスク状の記録媒体の記録面に沿う方向から前記収容部に収容される。
【００１７】
本発明において、前記第１の仕様のディスクドライブ部または前記第２の仕様のディスクドライブ部は、前記装着されるディスク状の記録媒体の記録面に沿う方向以外の方向から前記収容部に収容される。
【００１８】
本発明によれば、第１の仕様のディスクドライブ部と第２の仕様のディスクドライブ部との取り付け方法が異なる場合であっても、保持部品の一部を共有化することが可能となる。これにより、総合的な部品点数の増加を抑えるとともに、総合的なコストの上昇を抑えることが可能となる。
【００１９】
本発明において、第１の保持部品を、前記収容部の一端側に固定し、前記第１の仕様のディスクドライブ部または前記第２の仕様のディスクドライブ部の第１の端部を前記第１の保持部品に係合させ、前記第１の仕様のディスクドライブ部または前記第２の仕様のディスクドライブ部の前記第１の端部の反対側に位置する第２の端部を、第２の保持部品を使用して、前記筐体に固定する。
【００２０】
本発明によれば、第１の仕様のディスクドライブ部と第２の仕様のディスクドライブ部との仕様が異なる場合であっても、製造方法の一部を共通化することが可能となる。これにより、総合的な作業性を向上させることが可能となる。
【００２１】
本発明において、前記第２の保持部品を、前記収容部の前記一端側と対向する一端側に固定し、前記第１の仕様のディスクドライブ部または前記第２の仕様のディスクドライブ部の第１の端部を前記第１の保持部品に係合させるとともに、前記第２の端部を前記第２の保持部品に係合させる。
【００２２】
本発明によれば、第１の仕様のディスクドライブ部または第２の仕様のディスクドライブ部は、装着されるディスク状の記録媒体の記録面に沿う方向から収容部に収容される。
【００２３】
本発明において、前記前記第１の仕様のディスクドライブ部または前記第２の仕様のディスクドライブ部の第２の端部に、前記第２の保持部品を固定し、前記第２の保持部品を、前記筐体に固定する。
【００２４】
本発明によれば、第１の仕様のディスクドライブ部または第２の仕様のディスクドライブ部は、装着されるディスク状の記録媒体の記録面に沿う方向以外の方向から収容部に収容される。
【００２５】
すなわち、第１の仕様のディスクドライブ部または第２の仕様のディスクドライブ部を、記録媒体の記録面に沿う方向から収容部に収容する場合と、記録面に沿う方向以外の方向から収容部に収容する場合とで、製造方法の一部を共通化することが可能となる。これにより、総合的な作業性を向上させることが可能となる。
【発明の効果】
【００２６】
以上のように、本発明の情報処理装置及び情報処理装置の製造方法によれば、複数の仕様のディスクドライブを複数の仕様で取り付ける場合であっても、保持部品の一部を共有化し、製造方法の一部を共通化することが可能となる。これにより、総合的な部品点数の増加を抑え、総合的なコストの上昇を抑えるとともに、総合的な作業性を向上させることが可能となる。
【発明を実施するための最良の形態】
【００２７】
以下、本発明の一実施形態を図面に基づき説明する。
【００２８】
本実施形態では情報処理装置としてノート型のパーソナルコンピュータ（以下、単にＰＣと呼ぶ。）を一例に挙げて説明する。
【００２９】
（ＰＣの構成）
図１は、本発明の一実施形態に係るＰＣの開いた状態を示す斜視図である。図２は、ＰＣの本体部の内部構造を示す図である。
【００３０】
図１に示すように、ＰＣ１は、本体部２と、表示部８と、本体部２と表示部８とを連結するヒンジ９を備える。表示部８は、ヒンジ９を介して本体部２に対して開閉（折り畳み）可能である。
【００３１】
図２に示すように、ＰＣ１の本体部２は、内部にシステムボード３と、ハードディスクドライブ４と、後述の光ディスクドライブ１０または光ディスクドライブ２０と、冷却ファン６とを備え、これらを収容する筐体７とをさらに備える。光ディスクドライブ１０または光ディスクドライブ２０は、収容部５に収容される。筐体７は、天板７ａと、フレーム部７ｂ、底板７ｃとを備える。
【００３２】
システムボード３の表面と裏面にはＣＰＵ（Ｃｅｎｔｒａｌ  Ｐｒｏｃｅｓｓｉｎｇ  Ｕｎｉｔ）やメインメモリ、各種のインタフェース用の制御回路などの電子部品が実装されている。ハードディスクドライブ４はフレキシブルケーブルを介してシステムボード３のコネクタ端子に接続されている。冷却ファン６は、システムボード３に実装されたＣＰＵや、その他の発熱素子を冷却する。
【００３３】
次に、収容部５に収容される光ディスクドライブ１０または光ディスクドライブ２０と、収容部５に光ディスクドライブ１０または光ディスクドライブ２０を保持させる構造とについて説明する。
【００３４】
（光ディスクドライブの複数の仕様）
図３及び図４は、それぞれ収容部５に装着される光ディスクドライブの仕様を示す斜視図である。
【００３５】
図３に示される光ディスクドライブ１０は、軽量化に特化した仕様である。例えば、光ディスクを装着する領域等を覆う天板を設けず、光ディスクを装着する領域等の一部を切り欠くことで、軽量化が実現されている。
【００３６】
光ディスクドライブ１０は、例えば所謂スーパーマルチドライブであり、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ等の情報を再生したり、情報を記録したりする。
【００３７】
光ディスクドライブ１０は、図示しない光ディスクを回転駆動する駆動手段としてのスピンドルモータ１２及び光ピックアップ１３とを備える。光ピックアップ１３は、キャリッジに搭載され、キャリッジ送り機構により光ディスクの径方向に直線往復移動する。図示しないコントローラや信号処理回路を介して光ピックアップ１３を光ディスクの径方向に移動させつつ、光ピックアップ１３から光ビームを光ディスクに照射させることで光ディスクに情報が再生等される。
【００３８】
光ディスクドライブ１０は、第１の側面１５と、第１の側面１５の反対側に位置し、第１の側面１５と平行な第２の側面１６とを備える。第２の側面１６には、螺子孔１７、１８が形成されている。なお、第１の側面１５にも図示しない螺子孔が形成されている。
【００３９】
図４に示す光ディスクドライブ２０は、堅牢性に特化した仕様である。光ディスクドライブ２０は光ディスクドライブ１０に類似した内部構造を有しているが、例えば、天板を含む筐体で全体を覆うことで、堅牢性が実現されている。
【００４０】
光ディスクドライブ２０は、第１の側面２１と、第１の側面２１の反対側に位置し、第１の側面２１と平行な第２の側面２２とを備える。第２の側面２２には、螺子孔２３、２４が形成されている。
【００４１】
光ディスクドライブ２０は、例えばブルーレイディスクの情報の再生や記録に特化している。
【００４２】
（光ディスクドライブの取り付け方の複数の仕様）
ＰＣ１に光ディスクドライブ１０や光ディスクドライブ２０を取り付ける方法には、以下のように二通りある。
【００４３】
例えば、底板７ｃに収容部５を設け、光ディスクドライブ１０、２０を上方から収容部５に落とし込む。板金等の保持部品や螺子等を使用して光ディスクドライブ１０、２０を収容部５に固定する。その後、底板７ｃにフレーム部７ｂを設け、フレーム部７ｂを天板７ａで覆って筐体７を形成する。これにより、本体部２が形成される。
【００４４】
この取り付け方法は、具体的には、一貫して本体部２を製造する場合に有用である。さらに具体的には、一工場で一貫して本体部２を製造する場合に有用である。
【００４５】
あるいは、収容部５や保持部品等を備え、側面に光ディスクを挿入及び取り出すときに使用される開口を有する筐体７を形成する。光ディスクドライブ１０、２０をこの開口から収容部５に挿入する。その後、筐体７の表面を介して螺子等を使用して光ディスクドライブ１０、２０を固定する。
【００４６】
この取り付け方法は、具体的には、光ディスクドライブ１０、２０と本体部２とをそれぞれ製造し、その後、光ディスクドライブ１０、２０の一方を選択し、選択された光ディスクドライブ１０または光ディスクドライブ２０を収容部５に取り付ける場合に有用である。さらに具体的には、例えば一工場で光ディスクドライブ１０、２０と本体部２とをそれぞれ製造し、別の一工場で光ディスクドライブ１０または光ディスクドライブ２０を収容部５に取り付ける場合に有用である。
【００４７】
上記のように、光ディスクドライブの形状の仕様が２つあり、光ディスクドライブの取り付け方の仕様が２つあるとすると、計４つの製造パターンがあると考えられる。すなわち、
（ａ）天板無しの光ディスクドライブ１０を上方から落とし込んで製造する場合、
（ｂ）天板有りの光ディスクドライブ２０を上方から落とし込んで製造する場合、
（ｃ）天板無しの光ディスクドライブ１０を側面から挿入して製造する場合、
（ｄ）天板有りの光ディスクドライブ２０を側面から挿入して製造する場合
の４パターンである。
【００４８】
このような場合には、４パターンそれぞれに特化した、光ディスクドライブ１０、２０を保持する保持部品等の周辺部品を準備すると、総合的なコストが増加する。矩形が一部切り欠かれた形状を有する光ディスクドライブを収容部５に収容する場合、典型的には、この矩形の４隅近傍に保持部品を設けて固定する。そうすると、上述のように４パターンに対応しなければならない場合、総合的に見て保持部品の部品点数が極めて多くなるおそれがある。この場合、総合的なコストが上昇する。しかし、複数のパターンに共通に使用することが可能な部品があれば、総合的にコストダウンを図ることができる。
【００４９】
以上のように、本実施形態は、光ディスクドライブの形状の仕様が複数あり、光ディスクドライブの取り付け方の仕様が複数あることを前提とし、できるだけ部品の共通化を図る、という考え方が基本となる。この考え方に基いて、本実施形態では、光ディスクドライブ１０、２０を収容部５に保持可能な保持部品を、複数の仕様でできるだけ共有化が可能となるような構造としている。
【００５０】
（保持部品の構造）
図５〜図１２を参照して、このような観点に基いて形成された保持部品の形状を説明する。
【００５１】
図５は、保持部品１００を示す斜視図である。
【００５２】
図５に示すように、保持部品１００（第１の保持部品）は、本体１２０を有する。本体１２０には複数の開口１２３が形成され、軽量化が図られている。本体１２０の端部１２１には、位置決め部１１０が形成される。位置決め部１１０は、光ディスクドライブ１０と保持部品１００との位置関係を固定するための部位である。
本体１２０の所定の位置には、収容部５への固定に係る凹部１３０が形成される。凹部１３０は、例えば、本体１２０において凹部１３０が形成された領域よりも面積の小さい底面１３１を有する。底面１３１は、本体１２０に対して例えば０．５°傾斜している。底面１３１には、収容部５との螺子止めのための開口１３２が形成される。本体１２０において、端部１２１と直交する端部には、収容部５への固定に係る固定部１４０が形成される。固定部１４０には、収容部５との螺子止めのための開口１４１が形成される。
【００５３】
図６は、保持部品２００を示す斜視図である。
【００５４】
図６に示すように、保持部品２００（第２の保持部品）は、互いに平行に形成され、光ディスクドライブ１０、２０の第２の側面１６、２２を保持可能な表面２１０及び底面２２０と、これらの面に対して垂直な側面２３０とを備える。側面２３０には、表面２１０及び底面２２０に対して例えば０．５°傾斜し、収容部５への固定に係る固定部２４０が形成される。側面２３０には、光ディスクドライブ１０、２０との螺子止めのための開口２３１が形成される。固定部２４０には、収容部５との螺子止めのための開口２４１が形成される。
【００５５】
図７は、保持部品３００を示す斜視図である。
【００５６】
図７に示すように、保持部品３００（第２の保持部品）は、互いに平行に形成され、光ディスクドライブ１０、２０の第２の側面１６、２２を保持可能な表面３１０及び底面３２０と、これらの面に対して垂直な側面３３０とを備える。側面３３０には、表面３１０及び底面３２０に対して例えば０．５°傾斜し、収容部５への固定に係る固定部３４０が形成される。側面３３０には、光ディスクドライブ１０、２０との螺子止めのための開口３３１が形成される。固定部３４０には、収容部５との螺子止めのための開口３４１が形成される。
【００５７】
図８は、保持部品４００を示す斜視図である。
【００５８】
図８に示すように、保持部品４００（第１の保持部品）は、互いに平行に形成され、光ディスクドライブ１０、２０の第１の側面１５、２１を保持可能な表面４１０及び底面４２０と、これらの面に対して垂直な側面４３０とを備える。表面４１０には、２つのテーパ部４１１が形成されている。テーパ部４１１は、それぞれ略上方へ形成される。側面４３０には、ガイド部４３１が形成される。ガイド部４３１は、側面４３０に対して所定の角度で傾斜するよう形成される。底面４２０には、収容部５との螺子止めのため開口４２１が形成される。
【００５９】
図９は、保持部品５００を示す斜視図である。
【００６０】
図９に示すように、保持部品５００（第１の保持部品）は、互いに平行に形成され、光ディスクドライブ２０の第１の側面２１及び保持部品８００の爪部８３０を保持可能な長方形状の表面５１０及び底面５２０と、これらの面に対して垂直な側面５３０とを備える。表面５１０には、２つのテーパ部５１１が形成されている。テーパ部５１１は、テーパ部４１１と同様に、それぞれ略上方へ形成される。底面５２０には、収容部５への固定に係る複数の固定部５２１と、複数の凸部５２２とが形成される。複数の固定部５２１は、底面５２０と平行に形成される。固定部５２１には、収容部５との螺子止めのための開口５２３が形成される。複数の凸部５２２は、長方形状の表面５１０の長手方向と平行に細長く形成される。凸部５２２は底面５２０よりわずかに盛り上がるように形成される。
【００６１】
図１０は、保持部品６００を示す斜視図である。
【００６２】
図１０に示すように、保持部品６００は、互いに平行に形成された収容部５への固定に係る固定部６１０及び底面６２０と、これらに対して垂直な側面６３０とを備える。固定部６１０には、収容部５との螺子止めのための開口６１１が形成される。側面６３０には、光ディスクドライブ１０、２０との螺子止めのための開口６３１が形成される。
【００６３】
図１１は、保持部品７００を示す斜視図である。
【００６４】
図１１に示すように、保持部品７００（第２の保持部品）は、互いに平行に形成され、光ディスクドライブ１０、２０の第２の側面１６、２２を保持可能な表面７１０及び底面７２０と、これらの面に対して垂直な側面７３０とを備える。側面７３０には、表面７１０及び底面７２０に対して例えば０．５°傾斜し、収容部５への固定に係る固定部７４０が形成される。表面７１０の一端には、テーパ部７１１が形成されている。テーパ部７１１は、略上方へ形成される。固定部７４０には、収容部５との螺子止めのための開口７４１が形成されている。
【００６５】
図１２は、保持部品８００を示す斜視図である。
【００６６】
図１２に示すように、保持部品８００は、本体８２０を有する。本体８２０には複数の開口８２３が形成され、軽量化が図られる。本体８２０の端部８２１には、光ディスクドライブ１０への固定に係る固定部８１０が形成される。固定部８１０には、光ディスクドライブ１０との螺子止めのための開口８１１が形成されている。端部８２１の反対側に位置する端部８２２には、爪部８３０が形成されている。
【００６７】
各保持部品１００〜８００は以上のような構造とされている。
【００６８】
なお、各保持部品同士の形状の一部が類似しているものがある。例えば、保持部品７００の固定部７４０は保持部品２００の固定部２４０に類似し、表面７１０及び固定部７４０の一部は保持部品３００の表面３１０の一部及び固定部３４０に類似している。これらは、各保持部品１００〜８００の製造工程の一部を共通とすることで、コスト削減を図ったためである。
【００６９】
保持部品１００〜８００はそれぞれ複数の開口を備えているが、上記では固定に直接使用するもののみを説明した。その他の開口は、軽量化のためとしてもよいし、位置決め用の開口としてもよい。
【００７０】
図１３は、保持部品１００〜８００を、上述の（ａ）〜（ｄ）の４パターンにおける共有性を示す説明図である。
【００７１】
図１３に示すように、（ａ）天板無しの光ディスクドライブ１０を上方から落とし込んで製造する場合には、保持部品１００、２００、３００を使用する。（ｂ）天板有りの光ディスクドライブ２０を上方から落とし込んで製造する場合には、保持部品２００、３００、４００、５００を使用する。（ｃ）天板無しの光ディスクドライブ１０を側面から挿入して製造する場合には、保持部品４００、５００、６００、７００、８００を使用する。（ｄ）天板有りの光ディスクドライブ２０を側面から挿入して製造する場合には、保持部品４００、５００、６００、７００を使用する。ここで、保持部品２００、３００は、（ａ）、（ｂ）で共有される。保持部品４００、５００は、（ｂ）、（ｃ）、（ｄ）で共有される。保持部品６００、７００は、（ｃ）、（ｄ）で共有される。このように、保持部品１００〜８００の一部を共有化とすることで、総合的に見て部品点数を削減でき、コスト削減を図ることができる。
【００７２】
なお、保持部品１００〜８００は、金属板材であり、例えばアルミニウムから形成される。アルミニウムで形成することで、保持部品１００〜８００の軽量化を図ることができる。
（ＰＣの製造方法）
以上のような形状を有する保持部品１００〜８００を使用して光ディスクドライブ１０、２０を収容部５に保持させるようなＰＣ１の製造方法を、上述の（ａ）〜（ｄ）の４パターンに基いて説明する。
【００７３】
図１４は、（ａ）〜（ｄ）の４パターンにおける情報処理装置の製造方法を示すフローチャートである。図１５、１６、１８、１９、２１、２２、２４、２５は、光ディスクドライブ１０、２０に対する保持部品１００〜８００の取り付けを示した斜視図及び全体構造図である。図１７、２０、２３は、製造方法を示す説明図である。
【００７４】
（ａ）天板無しの光ディスクドライブ１０を上方から落とし込む場合の情報処理装置の製造方法について説明する。
【００７５】
図１４に示すように、底板７ｃに収容部５を設ける（ステップ１０１）。
【００７６】
次に、保持部品１００、２００、３００を、光ディスクドライブ１０の第２の側面１６に取り付ける（ステップ３０１）。具体的には、保持部品１００を第１の側面１５に取り付け、保持部品２００を螺子孔１７の近傍に取り付け、保持部品３００を螺子孔１８の近傍に取り付ける。
【００７７】
保持部品２００の側面２３０に形成された開口２３１が、螺子孔１７と対応するように、互いに平行に形成された表面２１０と底面２２０とで、第２の側面１６を挟持する。この開口２３１と螺子孔１７とを介して、保持部品２００を光ディスクドライブ１０の第２の側面１６に螺子止めする。このようにして、保持部品２００が光ディスクドライブ１０の第２の側面１６に固定される。
【００７８】
保持部品３００の側面３３０に形成された開口３３１が、螺子孔１８と対応するように、互いに平行に形成された表面３１０と底面３２０とで、第２の側面１６を挟持する。この開口３３１と螺子孔１８とを介して、保持部品３００を光ディスクドライブ１０の第２の側面１６に螺子止めする。このようにして、保持部品３００が光ディスクドライブ１０の第２の側面１６に固定される。
【００７９】
次に、保持部品１００、２００、３００が取り付けられた光ディスクドライブ１０を、収容部５に落とし込んで固定する（ステップ５０１）。
【００８０】
具体的には、保持部品３００内の固定部３４０に設けられた小径の開口３４２を収容部５に設けられた位置決め用ピンに合わせる。その後、保持部品２００の固定部２４０の矩形状の開口２４２、保持部品１００の小径を有する開口１３３と小径を有する開口１４２とに、収容部５に設けた位置決め用ピンを合わせることで、位置決めがなされる。これは、ビス打ち時の回転止めの役割も持つ。最後に開口１４１、１３２、２４１、３４１を介して収容部５に対してビスにより固定を行う。
【００８１】
このようにして、保持部品２００、３００が収容部５に固定される。図１５に、このように光ディスクドライブ１０と保持部品１００、２００、３００とが係合された様子が示される。これにより、光ディスクドライブ１０が収容部５に固定される。図１６に、上述のように光ディスクドライブ１０が収容部５に収容され、固定された状態が示される。
【００８２】
最後に、底板７ｃにフレーム部７ｂを設け、フレーム部７ｂに天板７ａを設けることで、筐体７が形成される。これにより、ＰＣ１の本体部２が製造される（ステップ６０１）。
【００８３】
（ｂ）天板有りの光ディスクドライブ２０を上方から落とし込む場合の情報処理装置の製造方法について説明する。
【００８４】
底板７ｃに収容部５を設ける（ステップ１０１）。
【００８５】
次に、保持部品４００、５００を、収容部５の底部に取り付ける（ステップ３０２）。
【００８６】
具体的には、保持部品４００の底面４２０を収容部５の底部に接触させ、底面４２０に形成された開口４２１を収容部５の底部に形成された図示しない螺子孔と対応させることで位置合わせを行う。この開口４２１と螺子孔とを介して、保持部品４００を収容部５の底部に螺子止めする。このようにして、保持部品４００が収容部５の底部に固定される。
【００８７】
保持部品５００の固定部５２１を収容部５の底部に接触させ、固定部５２１に形成された開口５２３を収容部５の底部に形成された図示しない螺子孔と対応させることで位置合わせを行う。この開口５２３と螺子孔とを介して、保持部品５００を収容部５の底部に螺子止めする。このようにして、保持部品５００が収容部５の底部に固定される。
【００８８】
次に、保持部品２００、３００を、光ディスクドライブ２０の第２の側面２２に取り付ける（ステップ４０１）。具体的には、保持部品２００を螺子孔２３近傍に取り付け、保持部品３００を螺子孔２４の近傍に取り付ける。上記（ａ）のステップ３０１と同様の方法で行えばよい。
【００８９】
次に、保持部品２００、３００が取り付けられた光ディスクドライブ２０を、保持部品４００、５００が取り付けられた収容部５に落とし込んで固定する（ステップ５０１）。
【００９０】
図１７は、落とし込みの様子を示す説明図である。図１７に示すように、光ディスクドライブ２０の第１の側面２１の、螺子孔２４の反対側近傍を、保持部品５００の表面５１０と底面５２０とにより形成される空間に斜め上方より差し込む（矢印Ａ）。表面５１０にはテーパ部５１１が形成されているので、光ディスクドライブ２０を斜め上方より差し込んでも、表面５１０の端部が光ディスクドライブ２０を傷つけない。また、テーパ部５１１は差し込む際のガイドとしても機能する。光ディスクドライブ２０の第２の側面２２側を下ろすことで（矢印Ｂ）、第１の側面２１を保持部品５００の側面５３０に当接させ、光ディスクドライブ２０を収容部５の底面に接触させ、第１の側面２１を保持部品５００に係合させる。底面５２０の凸部５２２は、スライド時における底面５２０と光ディスクドライブ２０との摩擦抵抗を低減させるためのガイドレールとして機能する。
【００９１】
光ディスクドライブ２０を保持部品４００にスライドさせて差し込み（矢印Ｃ）、第１の側面２１を保持部品４００に係合させる。ガイド部４３１に第１の側面２１が接触したところで、スライドを中止する。保持部品４００の表面４１０のテーパ部４１１は、テーパ部５１１と同様に、差し込む際のガイドとして機能し、光ディスクドライブ２０が傷つかないよう保護する。
【００９２】
このようにして、光ディスクドライブ２０の所望の位置に保持部品４００、５００が係合されるとともに、光ディスクドライブ２０と保持部品２００、３００とが収容部５の所望の位置に配置される。保持部品２００、３００は、上記（ａ）のステップ５０１と同様に、開口２４１、３４１と螺子孔とを介して、収容部５に螺子止めされる。
【００９３】
このようにして、保持部品２００〜５００が収容部５に固定される。図１８に、このように光ディスクドライブ２０と保持部品２００〜５００とが係合された様子が示される。これにより、光ディスクドライブ２０が収容部５に固定される。図１９に、上述のように光ディスクドライブ２０が収容部５に収容され、固定された状態が示される。
【００９４】
最後に、底板７ｃにフレーム部７ｂを設け、フレーム部７ｂに天板７ａを設けることで、筐体７を形成する。これにより、ＰＣ１の本体部２が製造される（ステップ６０１）。
【００９５】
（ｃ）天板無しの光ディスクドライブ１０を側面から挿入する場合の情報処理装置の製造方法について説明する。
【００９６】
フレーム部７ｂと底板７ｃとに収容部５を設ける（ステップ１０１）。
【００９７】
次に、保持部品６００、８００を光ディスクドライブ１０に取り付ける（ステップ２０１）。
【００９８】
具体的には、保持部品６００の側面６３０と底面６２０とを光ディスクドライブ１０の側面と底面とにそれぞれ当接させる。光ディスクドライブ１０の底面の、底面６２０の開口に対応する領域には、図示しない螺子孔が形成されている。この開口と螺子孔とを介して、保持部品６００を光ディスクドライブ１０の底部に螺子止めする。このようにして、保持部品６００が光ディスクドライブ１０の底部に固定される。
【００９９】
保持部品８００の固定部８１０を、光ディスクドライブ１０の第１の側面１５に当接させる。第１の側面の、固定部８１０の開口８１１に対応する領域には、図示しない螺子孔が形成されている。この開口８１１と螺子孔とを介して、保持部品８００を第１の側面１５に螺子止めする。このようにして、保持部品８００が光ディスクドライブ１０の第１の側面１５に固定される。
【０１００】
次に、保持部品４００、５００を収容部５に取り付ける（ステップ３０２）。上記（ｂ）のステップ３０２と同様の方法で行えばよい。
【０１０１】
次に、保持部品７００を収容部５に取り付ける（ステップ４０２）。具体的には、固定部７４０の開口７４１と、収容部５に形成された図示しない螺子孔とで位置決めを行う。この開口７４１と螺子孔とを介して、保持部品７００を収容部５に螺子止めする。このようにして、保持部品７００が収容部５に固定される。
【０１０２】
次に、フレーム部７ｂに天板７ａを設ける（ステップ６０１）。このとき、筐体７に形成された収容部５には、上述のように保持部品４００、５００、７００が取り付けられている。なお、筐体７は、側面に光ディスクを挿入及び取り出すときに使用される開口を有する。
【０１０３】
次に、保持部品６００、８００が取り付けられた光ディスクドライブ１０を、上記開口から挿入して取り付ける（ステップ５０２）。図２０は、挿入の様子を示す説明図である。図２０に示すように、光ディスクドライブ１０の第２の側面１６の螺子孔１７側を、保持部品７００の表面７１０と収容部５の底面との間の空間に挿入する。表面７１０のテーパ部７１１は、テーパ部４１１、５１１と同様に、差し込む際のガイドとして機能し、光ディスクドライブ１０が傷つかないよう保護する。
【０１０４】
保持部品７００に沿って保持部品６００、８００が取り付けられた光ディスクドライブ１０をスライドさせていくと、保持部品８００の端部８２２が保持部品５００の側面５３０に接触する。端部８２２を、表面５１０と底面５２０との間の空間に挿入する。表面５１０のテーパ部５１１は、差し込む際のガイドとして機能し、保持部品８００が傷つかないよう保護する。底面５２０の凸部５２２は、スライド時における底面５２０と光ディスクドライブ２０との摩擦抵抗を低減させるためのガイドレールとして機能する。
【０１０５】
保持部品６００、８００が取り付けられた光ディスクドライブ１０をさらにスライドさせていくと、光ディスクドライブ１０の第１の側面１５が保持部品４００の側面４３０に接触する。上記（ｂ）のステップ５０１と同様の方法で第１の側面１５を保持部品４００に係合させる。
【０１０６】
このようにして、収容部５の所望の位置に光ディスクドライブ１０と保持部品４００〜８００とが所望の位置に配置される。このとき、保持部品５００は保持部品８００の爪部８３０を挟んでいる。爪部８３０を挟むことで、端部８２２を挟む場合に比べて、安定した保持が可能となる。
【０１０７】
保持部品６００の開口６１１に対応するように、収容部５と筐体７とには図示しない螺子孔が形成されている。この開口６１１と螺子孔とを介して、保持部品６００を収容部５に螺子止めする。このようにして、保持部品６００が収容部５に固定される。
【０１０８】
図２１に、このように光ディスクドライブ１０と保持部品４００〜８００とが係合された様子が示される。これにより、光ディスクドライブ１０が収容部５に固定される。図２２に、上述のように光ディスクドライブ１０が収容部５に収容され、固定された状態が示される。
【０１０９】
（ｄ）天板有りの光ディスクドライブ２０を側面から挿入する場合の情報処理装置の製造方法について説明する。
【０１１０】
フレーム部７ｂと底板７ｃとに収容部５を設ける（ステップ１０１）。
【０１１１】
次に、保持部品６００を光ディスクドライブ２０に取り付ける（ステップ２０２）。上記（ｃ）のステップ２０１と同様の方法で行えばよい。
【０１１２】
その後、保持部品４００、５００を収容部５に取り付け（ステップ３０２）、保持部品７００を光ディスクドライブ２０に取り付け（ステップ４０２）、天板７ａを設け（ステップ６０１）、図２３に示すように光ディスクドライブ２０を挿入し、固定する（ステップ５０２）。これらの工程は、上記（ｃ）のステップ３０２、４０２、６０１、５０２と同様に行えばよい。
【０１１３】
このようにして、収容部５の所望の位置に光ディスクドライブ２０と保持部品４００〜７００とが所望の位置に配置され、固定される。図２４に、このように光ディスクドライブ２０と保持部品４００〜７００とが係合された様子が示される。これにより、光ディスクドライブ２０が収容部５に固定される。図２５に、上述のように光ディスクドライブ２０が収容部５に収容され、固定された状態が示される。
【０１１４】
以上のように、本実施形態によれば、光ディスクドライブ１０、２０を収容部５に保持可能な保持部品を、複数の仕様でできるだけ共有化可能となるように形成することで部品点数を削減可能とするばかりか、情報処理装置の製造工程の一部も共通化することを可能とした。部品の共有化、製造工程の共通化を図ることで総合的な作業性を向上させ、総合的なコスト削減を図ることを可能とした。
【０１１５】
本発明に係る実施形態は、以上説明した実施形態に限定されず、他の種々の実施形態が考えられる。
【０１１６】
上記の本実施形態では、情報処理装置としてノート型のパーソナルコンピュータを例示して説明した。しかし、これに限られず、デスクトップ型のパーソナルコンピュータ、ＰＤＡ（Ｐｅｒｓｏｎａｌ  Ｄｉｇｉｔａｌ  Ａｓｓｉｓｔａｎｃｅ）、電子辞書、カメラ、ディスプレイ装置、オーディオ／ビジュアル機器、プロジェクタ、携帯電話、ゲーム機器、カーナビゲーション機器、ロボット機器、レーザ発生装置、その他の電化製品等、ディスクドライブを備える情報処理装置であれば、当然本発明を適用できる。
【図面の簡単な説明】
【０１１７】
【図１】本発明の一実施形態に係るノート型のパーソナルコンピュータ（ＰＣ）の開いた状態を示す斜視図である。
【図２】ＰＣの本体部の内部構造を示す図である。
【図３】光ディスクドライブの一仕様を示す斜視図である。
【図４】光ディスクドライブの別の仕様を示す斜視図である。
【図５】保持部品を示す斜視図である。
【図６】別の保持部品を示す斜視図である。
【図７】別の保持部品を示す斜視図である。
【図８】別の保持部品を示す斜視図である。
【図９】別の保持部品を示す斜視図である。
【図１０】別の保持部品を示す斜視図である。
【図１１】別の保持部品を示す斜視図である。
【図１２】別の保持部品を示す斜視図である。
【図１３】保持部品の共有性を示す説明図である。
【図１４】情報処理装置の製造方法を示すフローチャートである。
【図１５】光ディスクドライブに対する保持部品の取り付けを示した斜視図である。
【図１６】光ディスクドライブに対する保持部品の取り付けを示した全体構造図である。
【図１７】製造方法を示す説明図である。
【図１８】光ディスクドライブに対する保持部品の取り付けを示した斜視図である。
【図１９】光ディスクドライブに対する保持部品の取り付けを示した全体構造図である。
【図２０】別の製造方法を示す説明図である。
【図２１】光ディスクドライブに対する保持部品の取り付けを示した斜視図である。
【図２２】光ディスクドライブに対する保持部品の取り付けを示した全体構造図である。
【図２３】別の製造方法を示す説明図である。
【図２４】光ディスクドライブに対する保持部品の取り付けを示した斜視図である。
【図２５】光ディスクドライブに対する保持部品の取り付けを示した全体構造図である。
【符号の説明】
【０１１８】
１…ノート型のパーソナルコンピュータ（ＰＣ）
２…本体部
３…システムボード
４…ハードディスクドライブ
５…収容部
６…冷却ファン
７…筐体
８…表示部
９…ヒンジ
１０、２０…光ディスクドライブ
１２…スピンドルモータ
１３…光ピックアップ
１５、２１…第１の側面
１６、２２…第２の側面
１７、１８、２３、２４…螺子孔
１００、２００、３００、４００、５００、６００、７００、８００…保持部品
１２３、１３２、１４１、２３１、２４１、３３１、３４１、４２１、５２３、６１１、６３１、８１１、８２３…開口
１３０…凹部
１４０、２４０、３４０、５２１、６１０、７４０、８１０…固定部
４１１、５１１、７１１…テーパ部
４３１…ガイド部
５２２…凸部
８３０…爪部
【図１】
2010020568.tif 000003
【図２】
2010020568.tif 000004
【図３】
2010020568.tif 000005
【図４】
2010020568.tif 000006
【図５】
2010020568.tif 000007
【図６】
2010020568.tif 000008
【図７】
2010020568.tif 000009
【図８】
2010020568.tif 000010
【図９】
2010020568.tif 000011
【図１０】
2010020568.tif 000012
【図１１】
2010020568.tif 000013
【図１２】
2010020568.tif 000014
【図１３】
2010020568.tif 000015
【図１４】
2010020568.tif 000016
【図１５】
2010020568.tif 000017
【図１６】
2010020568.tif 000018
【図１７】
2010020568.tif 000019
【図１８】
2010020568.tif 000020
【図１９】
2010020568.tif 000021
【図２０】
2010020568.tif 000022
【図２１】
2010020568.tif 000023
【図２２】
2010020568.tif 000024
【図２３】
2010020568.tif 000025
【図２４】
2010020568.tif 000026
【図２５】
2010020568.tif 000027